(57)【要約】 【課題】複数の集積ポケットに紙葉類の道順組立を行う際、満杯リジェクトの発生を低減することができる紙葉類集積装置を提供すること。【解決手段】ｎ個のスタッカに集積する優先順位を設定する集積優先順位設定手段と、この集積優先順位設定手段によって設定された集積優先順位に従ってｎ−１個のスタッカがそれぞれ満杯になったときに表示器に第１の表示を行い、前記集積優先順位が最も低いｎ番目のスタッカに紙葉類の集積を開始した際、抜き取り優先順位の最も高いスタッカの表示器に前記第１の表示とは異なる第２の表示を行う表示手段と、前記集積優先順位がｎ番目のスタッカがプリフル状態で、かつ、前記抜き取り優先順位の最も高いスタッカの表示器が前記表示手段により第２の表示を行っているにも関わらず当該スタッカの紙葉類が抜き取られていない場合は、紙葉類の供給を停止する制御手段と、を備えたことを特徴とする。【選択図】  図３
2013091013.tif 000002
【特許請求の範囲】
【請求項１】
紙葉類を供給し配達順序に従う道順組立に基づきｎ個のスタッカに集積する紙葉類集積装置において、
前記ｎ個のスタッカに集積する優先順位を設定する集積優先順位設定手段と、
前記ｎ個のスタッカに抜き取り優先順位を設定する抜き取り優先順位設定手段と、
集積された紙葉類の状態を表示するために各スタッカごとに配置された表示器と、
この集積優先順位設定手段によって設定された集積優先順位に従ってｎ−１個のスタッカに集積された紙葉類がそれぞれ所定量に達したときに当該スタッカに対応する前記表示器が所定量に達したことを表示する第１の表示を行い、前記集積優先順位が最も低いｎ番目のスタッカに紙葉類の集積を開始した際、前記抜き取り優先順位設定手段で設定された前記抜き取り優先順位の最も高いスタッカの表示器に前記第１の表示とは異なる第２の表示を行う表示手段と、
前記集積優先順位がｎ番目のスタッカがプリフル状態で、かつ、前記抜き取り優先順位の最も高いスタッカの表示器が前記表示手段により第２の表示を行っているにも関わらず当該スタッカの紙葉類が抜き取られていない場合は、紙葉類の供給を停止する制御手段と、
を備えたことを特徴とする紙葉類集積装置。
【請求項２】
前記表示手段は、
前記抜き取り優先順位の最も高いスタッカの表示器が前記第２の表示を行ったことに伴い、当該スタッカから紙葉類が抜き取られた場合には、当該表示器の表示を消去すると共に、次の抜き取り優先順位のスタッカの表示器に第２の表示を行うが、前記第１の表示を行う表示器のスタッカから紙葉類が抜き取られた場合には、当該表示器の表示を消灯するが前記抜き取り優先順位は変更しないことを特徴とする請求項１記載の紙葉類集積装置。
【請求項３】
前記第１の表示は、
前記表示器を点灯することにより当該スタッカが所定量に達していることを示し、
前記第２の表示は、
前記表示器を点滅表示することにより当該スタッカに紙葉類があり、かつ、抜き取り優先順位が最も高いスタッカであることを意味する請求項１乃至請求項２記載の紙葉類集積装置。
【発明の詳細な説明】
【技術分野】
【０００１】
本発明の実施形態は、紙葉類集積装置に関する。
【背景技術】
【０００２】
郵便物等の紙葉類を区分処理する紙葉類読取区分機では、紙葉類の住所あるいは郵便番号の画像をスキャナで読取り、この読取った画像を認識部で認識した住所又は郵便番号から配達区分情報に基づき紙葉類を集積部に区分集積している。この集積部には、上記配達区分情報に基づいて集積する複数のスタッカ（集積ポケット）が設けられている。
【０００３】
近年、当該集積ポケットに集積する紙葉類を、当該紙葉類を配達する順番に集積する道順組立と言われる方法が知られている。この道順組立は、当該紙葉類を紙葉類読取区分機に２回（２パスともいう。）集積することによって道順に沿った紙葉類の集積を行う。
【０００４】
この２回目の集積において、１回目（１パスともいう。）の紙葉類数（通数）情報を用いて区分用の集積ポケットを設定し満杯リジェクトが起こらないように処理している。
【０００５】
しかしながら、２パス時に１パス時の紙葉類数情報を用いるが、紙葉類の厚さが厚いものが集中すると、想定よりも早く満杯となり、満杯リジェクトへと紙葉類が集積される。満杯リジェクトされた紙葉類に関しては、順序よりはじかれてしまったため再度区分する必要があった。なお、紙葉類の道順組立において、２回目の区分時に区分箱の通数を平均化する方法が知られている（例えば、特許文献１参照。）。
【先行技術文献】
【特許文献】
【０００６】
【特許文献１】特開２００１−７０８８７号公報
【発明の概要】
【発明が解決しようとする課題】
【０００７】
上述したように、２パス時に１パス時の紙葉類数情報に基づいて設定した集積ポケットが、当該紙葉類の厚みによって想定より早めに満杯になると、満杯リジェクトポケットに集積されてしまい、その分の道順が別扱いになり、効率が悪いという課題があった。
【０００８】
本発明は、上記課題を解決するためになされたもので、２パス時に複数の集積ポケットに集積するための優先順位を設定し、当該優先順位に従って優先順位の高い集積ポケットから順番に集積し、当該集積順位の最も低い集積ポケットに集積する際、優先順位の高い集積ポケットから抜き取ることを通知するようにすることにより、満杯リジェクトの発生を低減することができる紙葉類集積装置を提供することを目的とする。
【課題を解決するための手段】
【０００９】
上記目的を達成するために、本発明の請求項１記載の紙葉類集積装置は、紙葉類を供給し配達順序に従う道順組立に基づきｎ個のスタッカに集積する紙葉類集積装置において、前記ｎ個のスタッカに集積する優先順位を設定する集積優先順位設定手段と、前記ｎ個のスタッカに抜き取り優先順位を設定する抜き取り優先順位設定手段と、集積された紙葉類の状態を表示するために各スタッカごとに配置された表示器と、この集積優先順位設定手段によって設定された集積優先順位に従ってｎ−１個のスタッカに集積された紙葉類がそれぞれ所定量に達したときに当該スタッカに対応する前記表示器が所定量に達したことを表示する第１の表示を行い、前記集積優先順位が最も低いｎ番目のスタッカに紙葉類の集積を開始した際、前記抜き取り優先順位設定手段で設定された前記抜き取り優先順位の最も高いスタッカの表示器に前記第１の表示とは異なる第２の表示を行う表示手段と、前記集積優先順位がｎ番目のスタッカがプリフル状態で、かつ、前記抜き取り優先順位の最も高いスタッカの表示器が前記表示手段により第２の表示を行っているにも関わらず当該スタッカの紙葉類が抜き取られていない場合は、紙葉類の供給を停止する制御手段と、を備えたことを特徴とする。
【図面の簡単な説明】
【００１０】
【図１】本実施例に係る紙葉類集積装置
【図２】図１に示す紙葉類集積装置の集積方法を説明する図
【図３】本実施例に係る紙葉類集積方法を説明するフローチャート
【図４】図３に示す道順組立処理時のスタッカに対する集積順序を説明する図
【発明を実施するための形態】
【００１１】
本実施例に係る集積ポケットは、集積する紙葉類の区分情報に基づいて固定的に設定されるものではなく、例えば、１パス時に集積された紙葉類数が例えばｎ個（ｎ通）の場合であって、配達する道順がｍ個の場合、１道順当たりｎ／ｍ個の集積ポケットが最低限必要になる。集積ポケットが十分準備されている場合には、当該１道順当たり複数個の集積ポケットを割り当てることが可能になる。以下、本実施例を実施するための形態を図面を参照して説明する。
【実施例】
【００１２】
図１は、本実施例に係る紙葉類集積装置の構成図である。図２は、図１に示す紙葉類集積装置の集積方法を説明する図である。
【００１３】
紙葉類等を区分処理する紙葉類読取区分機は、供給された紙葉類を１通ずつ取り出して搬送路に供給する。搬送路は取り出された紙葉類を高速（例えば４ｍ／Ｓ程度）に搬送して、当該紙葉類に記載された配達区分情報を読取るスキャナ部（図示しない）及び当該スキャナ部で読み取った画像を認識する認識する認識部（図示しない）に搬送する。
【００１４】
この認識部で認識された配達区分情報は、紙葉類ごとに属性として１通ごと当該紙葉類に付与される。この付与された１通ごとの配達区分情報を有する紙葉類は図示した集積部に送られる。図１は配達区分情報を有する記紙葉類を集積する集積部１００である。
【００１５】
図１（１）に示す集積部１００は、モジュールＭ１〜Ｍ４で示す４個のモジュールで構成された場合を示す。
【００１６】
各モジュールは、４段（Ａ段、Ｂ段、Ｃ段、Ｄ段）、４列からなる１６個のスタッカ（集積ポケット）ＳＴＫ０１〜ＳＴＫ１６で構成される（モジュールＭ３参照）。
【００１７】
上述した紙葉類の配達区分情報に基づいて集積すべき場所がＡ段搬送ライン１０で、モジュールＭ３のスタッカＳＴＫ０１（１０ａ）、ＳＴＫ０５（１０ｂ）、ＳＴＫ０９（１０ｃ）、ＳＴＫ１３（１０ｄ）に設定された場合を示す。
【００１８】
なお、このモジュール数は、必要に応じて複数個連結できるように構成されている。従って、この集積部１００はモジュール数に応じて数十メートルに達する場合もある。
【００１９】
図１（２）は、上述した紙葉類の配達区分情報に基づいて集積すべき場所が道順１０で、モジュールＭ３のスタッカＳＴＫ０９（１０ａ）、ＳＴＫ１３（１０ｂ）、ＳＴＫ１０（１０ｃ）、ＳＴＫ１４（１０ｄ）に設定された場合を示す。
【００２０】
また、集積すべきスタッカが満杯時に当該紙葉類を集積する満杯スタッカは、各段ごとに搬送ラインの終端に配置される。従って、Ａ段の満杯スタッカ（満杯リジェクトポケット）はモジュールＭ４のスタッカＳＴＫ１３が該当し、Ｂ段の満杯スタッカはモジュールＭ４のスタッカＳＴＫ１４が該当し、Ｃ段の満杯スタッカはモジュールＭ４のスタッカＳＴＫ１５が該当し、Ｄ段の満杯スタッカはモジュールＭ４のスタッカＳＴＫ１６が該当する。
【００２１】
図２は、図１に示す紙葉類集積装置の集積方法を説明する図である。図は、Ａ段の一部を示す。以下、図１も参照しながら説明する。Ａ段は、Ａ段搬送ライン１０及び複数のスタッカで構成される。
【００２２】
Ａ段搬送ライン１０は、紙葉類を搬送するＡ段搬送ベルト６Ａ、このＡ段搬送ベルト６Ａによって搬送される紙葉類をスタッカに分岐するために各スタッカ前に配置されたゲート及びこのゲートによって分岐された紙葉類を各スタッカに搬送する分岐搬送路で構成される。なお、図１に示すＢ段、Ｃ段、Ｄ段も同様に構成される。
【００２３】
図は、紙葉類７ａ、７ｂ、７ｃ及び７ｎがモジュールＭ３のＡ段搬送ベルト６Ａによって搬送される状態を示す。各スタッカは共通に構成されており、例えばスタッカＳＴＫ１には、プリフルスイッチＰＦ１、フルスイッチＦ１、バックアッププレートＢＫ１、残留検知センサＳ１が配置されている。また、各スタッカの搬送上流に当該Ａ段搬送ベルト６Ａによって搬送される紙葉類を当該スタッカＳＴＫ１に集積するためのゲートＧ１が配置されている。このゲートＧ１は、上記認識部から出力された配達区分情報を入力した搬送・区分制御部（制御手段）５によって制御される。
【００２４】
搬送・区分制御部５は、認識部から入力した配達区分情報が当該紙葉類をスタッカＳＴＫ１に集積することを要求している場合には、当該ゲートＧ１を開いて（右側に回動して）紙葉類がスタッカＳＴＫ1に搬送されるようにする。なお、配達区分情報がスタッカＳＴＫ５に集積することを要求している場合には、当該紙葉類が通過する直前のゲートを閉じ集積スタッカＳＴＫ５のゲートＧ５を開いて当該紙葉類を集積する。同様に、配達区分情報がスタッカＳＴＫ９に集積することを要求している場合には、当該紙葉類が通過する直前のゲートを閉じ集積スタッカＳＴＫ９のゲートＧ９を開いて当該紙葉類を集積する。他の段も同様である。
【００２５】
プリフルスイッチＰＦ１は、スタッカに集積された紙葉類が満杯１００％に対して９０％に到達したことを示すスイッチである。
【００２６】
フルスイッチＦ１は、スタッカに集積された紙葉類が満杯に到達したことを示すスイッチである。プリフルスイッチＰＦ１及びフルスイッチＦ１は、集積された紙葉類が増えるに従って、紙葉類を載置するバックアッププレートＢＫ１が下方に移動し、積載量が上述した９０％に達するとプリフルスイッチＰＦ１がオンし、さらに紙葉類が集積され積載量が１００％に達するとフルスイッチＦ１がオンするように構成されている。上述したプリフル状態及びフル状態は必ずしもこのような物理的なスイッチによらず、他の検知方法によって検出することが可能である。図２のスタッカＳＴＫ５は、プリフルスイッチＰＦ５がオンしさらにフルスイッチＦ５がオン状態に到達している状態である。
【００２７】
表示器１４は、各モジュール内に配置された各スタッカに対応して各スタッカの上部に配置されている。実施例では、各モジュールごとにスタッカ群の上部に配置されているが、これに関わらず各スタッカごとにその近傍に配置してもよい。
【００２８】
この表示器は、上述した各スタッカのフルスイッチがオン状態のときに満杯表示を操作員に通知するために表示する場合と、スタッカに集積された紙葉類の抜き去りを操作員に通知するために特殊点滅表示する場合がある。道順組立の場合にはスタッカに集積された紙葉類の抜き去り順序が重要であり、満杯表示されたスタッカが複数存在する場合にその抜き去り順序を通知するために、本実施例では、抜き去り優先順位の最も高いスタッカから順番に表示器の特殊点滅を行う。詳細は、後述する。
【００２９】
バックアッププレートＢＫ１は、紙葉類を積載する積載面を有し、紙葉類の積載方向に設けられた軸に沿って紙葉類の積載方向に移動可能に軸支される。バックアッププレートＢＫ１は、紙葉類が集積されるに従って下降する際、当該バックアッププレートＢＫ１の軸支部分が集積された紙葉類の積載量に応じて下降し、上記プリフルスイッチＰＦ１又はフルスイッチＦ１の接点部分が押下されてスイッチがオンになる。
【００３０】
搬送・区分制御部５は、上述した認識部による認識結果を入力し、当該認識結果に基づき、当該紙葉類を指定されたスタッカに搬送すると共に、指定されたスタッカに集積された紙葉類が上述したプリフルスイッチ又はフルスイッチのスイッチ状態に基づいて当該スタッカに集積された紙葉類の集積を制御（集積の停止、他のスタッカへ集積場所の変更、紙葉類の抜き取られ検知など）する。従って、以下に説明するフローチャートは、上記搬送・区分制御部５によって処理される。
【００３１】
図３は、本実施例に係る紙葉類集積装置１００の集積方法を説明するフローチャートであり、この処理は上述した搬送・区分制御部によって処理される。
【００３２】
図１（１）では、道順組立された紙葉類を集積するスタッカとして４個設定した場合、これらのスタッカは、作業性のよい箇所に任意に設定することができるため、ここでは、これらの４個のスタッカに対して集積優先順位の高い方から集積ポケット１０ａ→１０ｂ→１０ｃ→１０ｄからなる集積ポケットが４個設定される。例えば、この４個の集積ポケットは、集積優先順位の高い方からＡ搬送ライン１０上にスタッカＳＴＫ１→スタッカＳＴＫ５→スタッカＳＴＫ９→スタッカＳＴＫ１３のように設定される（集積優先順位設定手段）。なお、この設定は、操作員が操作表示部（図示しない）から設定することにより、搬送・区分制御部（制御手段）５が、搬送される紙葉類を設定された集積優先順位に基づいてスタッカに集積することになる。
【００３３】
図１（２）では、同様に４個のスタッカに対して優先順位の高い方から集積ポケット１０ａ→１０ｂ→１０ｃ→１０ｄからなる集積ポケットが４個設定される。この場合は、Ａ搬送ライン上にスタッカＳＴＫ９→スタッカＳＴＫ１３が設定され、さらにＢ搬送ラインからスタッカＳＴＫ１０→スタッカＳＴＫ１４が対応する。このように４個の集積ポケットに対して４個のスタッカを任意に設定することができる。
【００３４】
以下、このフローチャートの説明においては、集積ポケット１０ａ、１０ｂ、１０ｃ、１０ｄを用いて動作を説明する。
【００３５】
紙葉類の集積ポケットは、上述したように、操作員の設定に基づき、集積優先順位が集積ポケットに対して設定される（集積優先順位設定手段）。また、当該集積ポケットに対して抜き取り優先順位が設定される（抜き取り優先順位設定手段）。その結果、集積優先順位の高い方から順番に集積ポケット１０ａ→集積ポケット１０ｂ→集積ポケット１０ｃ→集積ポケット１０ｄが搬送・区分制御部５によって設定される。この設定された状態で、紙葉類（書状）を供給し処理を開始すると、紙葉類は集積ポケット１０ａに集積される（Ｓ０１）。
【００３６】
設定された集積ポケット１０ａが所定量（例えば、満杯）になるまで当該集積ポケット１０ａに集積する（Ｓ０２）。以下、本実施例では、集積ポケットに集積された紙葉類が所定量に達した状態が満杯である場合として説明する。
【００３７】
集積ポケット１０ａが満杯になると（Ｓ０２のＹ）、集積ポケット１０ａの満杯を表示する表示器（例えば表示器１４ａ、表示手段）を点灯（第１の表示）し、集積ポケット１０ａに搬送するゲートＧ１及び集積ポケット１０ｂに集積するためのゲートＧ５を切り替えて集積ポケット１０ｂに集積する。集積ポケット１０ｂが満杯になるまで当該集積ポケット１０ｂに集積する（Ｓ０３）。
【００３８】
集積ポケット１０ｂが満杯になると（Ｓ０４のＹ）、集積ポケット１０ｂに搬送するゲートＧ５及び集積ポケット１０ｃに集積するためのゲートＧ９を切り替えて集積ポケット１０ｃに集積する（Ｓ０５）。
【００３９】
また、集積ポケット１０ｃが満杯になると（Ｓ０６のＹ）集積ポケット１０ｄに集積を開始する（Ｓ０７）。
【００４０】
次に、抜き取り優先順位の最も高い集積ポケット１０ａの表示器１４ａ（表示手段）を特殊点滅（第２の表示）し、満杯フラグをセット（Ｆｌａｇ＝１）する（Ｓ０８）。
【００４１】
最後の集積ポケット（集積ポケット１０ｄ）がプリフル状態でなく（Ｓ０９のＮ）、ステップＳ０８で特殊点滅した抜き取り優先順位の最も高い集積ポケット１０ａから紙葉類の抜き取りがあれば（Ｓ１０のＹ）、当該表示器１４ａの特殊点滅を停止し、満杯フラグをリセット（Ｆｌａｇ＝０）する（Ｓ１１）。この抜き取りは集積ポケット内に集積されている紙葉類を完全に抜き取ることを意味し、一部抜き取られた状態では、抜き取り処理が終了していないものと見なされ、表示器１４ａは消灯しない。
【００４２】
道順組立処理においては、紙葉類を個別に配達する場合の順番が重要であるため、集積順番が指定された通りでない場合は道順組立の効果が発揮できないため、当該装置の操作員は、表示器の点滅に従って、抜き取り優先順位の最も高い集積ポケットから順番に（１０ａ→１０ｂ→１０ｃの順番に）、当該集積ポケットに集積されている紙葉類を全て抜き取り、その順番の入り繰りが発生しないように収納することが必要である。
【００４３】
ステップＳ０９において、最終集積ポケットがプリフル状態で（Ｓ０９のＹ）、かつ、満杯フラグがセットしている場合（Ｓ１２のＦｌａg＝1）、それ以上の集積が困難になるため、紙葉類の供給を停止し（Ｓ１３）、操作表示部（図示しない）に満杯警告を表示する（Ｓ１４）。操作員に抜き取り優先順位の最も高い集積ポケットから順番に紙葉類を抜き取ってもらうためである。
【００４４】
上記満杯警告に基づき抜き取り優先順位の最も高い集積ポケットから紙葉類が抜き取られると（Ｓ１５のＹ）、表示器の特殊点滅を停止し、供給を再開し、満杯フラグをリセットする（Ｆｌａｇ＝０）（Ｓ１６）。この処理によって紙葉類が空になった集積ポケットに集積が再開される（Ｓ１８）。
【００４５】
以上の処理によってもさらに供給中の紙葉類があれば（Ｓ１９のＹ）、ステップＳ０８以降の処理を繰り返す。紙葉類がなければ処理を終了する。
【００４６】
ステップＳ１５において、操作表示部に抜き取りの警告表示を行ったにもかかわらず紙葉類が抜き取られない場合（Ｓ１５のＮ）、一定時間抜き取りが行われたか監視する（Ｓ１７のＮ―Ｓ１５）。
【００４７】
上記、一定時間内に抜き取りが行われた場合には、表示器の特殊点滅を停止し、供給を再開し、満杯フラグをリセットする（Ｆｌａｇ＝０）（Ｓ１６）。この処理によって紙葉類が空になった集積ポケットに集積を再開する（Ｓ１８）。
【００４８】
一方、一定時間内に抜き取りが行われなかった場合には（Ｓ１７のＹ）、異常状態として処理を終了する。これ以上、紙葉類を供給することはできないためである。異常処理の回復方法は、本発明の趣旨ではないため、ここでは詳細な記載を行わない。
【００４９】
図４は、図３に示す道順組立処理時のスタッカに対する集積順序を説明する図である。図４（１）は、図３のステップＳ０２に示す状態であり、道順組立情報に基づき紙葉類は集積ポケット１０ａが満杯になるまで集積される。この際、集積ポケット１０ｂ、集積ポケット１０ｃ及び集積ポケット１０ｄには集積しない。
【００５０】
図４（２ａ）は、集積ポケット１０ａが満杯になり、次の集積ポケット１０ｂに集積している状態であり、ステップＳ０３に示す状態である。このとき、集積ポケット１０ａの表示器１４ａが点灯する。
【００５１】
図４（２ｂ）は、上記表示器１４ａが点灯（第１の表示）したことにより、操作員が点灯した集積ポケッ１０ａの紙葉類を抜き去った状態を示す。この場合、紙葉類はこの抜き去った集積ポケット１０ａに集積するのではなく、集積ポケット１０ｂに継続して集積している状態を示す。図示した→に×が記載されているのは集積ポケット１０ａが空になったからといってその集積ポケット１０ａに集積しないことを示す。
【００５２】
図４（３）は、上述した集積ポケット１０ａから紙葉類を抜き去らなかったために、集積ポケット１０ａ→集積ポケット１０ｂ→集積ポケット１０ｃと順番に集積ポケットが満杯になり、各集積ポケットの表示器１４ｂ及び表示器１４ｃが点灯する。続けて、集積ポケット１０ｄに対する集積が開始した時点で、抜き取り優先順位の最も高い集積ポケット１０ａの表示器１４ａを特殊点滅（第２の表示）する。従って、集積ポケット１０ａの表示器１４ａは特殊点滅するが、他の集積ポケット（１０ｂ、１０ｃ）は点灯状態であり、図３のステップＳ０８に示す状態である。
【００５３】
図４（４）は、特殊点滅した集積ポケット１０ａの紙葉類を抜き取った状態を示す。この抜き取りにより、集積ポケット１０ａの特殊点滅は消灯する。図３のステップＳ１１に示す状態である。
【００５４】
図４（５ａ）は、最終集積ポケット１０ｄがプリフルスイッチＰＦ１３に到達し、集積ポケット１０ａの紙葉類が抜き取られて空になっているため、この集積ポケット１０ａに集積が開始された状態を示す。この場合には、抜き取り優先順位の最も高い集積ポケットは集積ポケット１０ｂに移るため、当該集積ポケット１０ｂの表示器１４ｂを特殊点滅する。当然集積ポケット１０ｄの表示器１４ｄは点灯する。図３のステップＳ１８の状態である。
【００５５】
図４（５ｂ）は、図４（５ａ）で表示器１４ｂが特殊点滅していることにより、当該集積ポケット１０ｂの紙葉類が抜き取られて空になっても、継続して供給された紙葉類は、当該集積ポケット１０ｂには集積せずに集積ポケット１０ａへの集積を継続する。
【００５６】
以上説明したように、本実施例によれば、複数の集積ポケットに集積された紙葉類は道順組立の順番が狂うことなく、集積されると共に、この集積によって、課題であった満杯リジェクトに集積されるのを低減することができる。また、満杯リジェクトが低減することにより、処理効率がアップする。
【符号の説明】
【００５７】
Ｍ１、Ｍ２、Ｍ３  モジュール
ＰＦ１、ＰＦ５、ＰＦ９、ＰＦ１３  プリフルスイッチ
Ｆ１、Ｆ５、Ｆ９、Ｆ１３  フルスイッチ
Ｇ１、Ｇ５、Ｇ９  ゲート
Ｓ１、Ｓ５、Ｓ９、Ｓ１３  残留検知センサ
６Ａ  Ａ段搬送ベルト
７ａ、７ｂ、７ｃ、７ｎ  紙葉類（書状）
１０  Ａ段搬送ライン
１０ａ、１０ｂ、１０ｃ、１０ｄ  集積ポケット
１４ａ、１４ｂ、１４ｃ、１４ｄ  表示器
【図１】
2013091013.tif 000003
【図２】
2013091013.tif 000004
【図３】
2013091013.tif 000005
【図４】
2013091013.tif 000006